(57)【要約】【課題】オペレータが的確な操作を行うことができるようにガイダンス情報を表示することが可能な情報表示装置及びその制御方法、画像形成装置を提供する。【解決手段】ジャムを検知するレジストレーションセンサ８、定着排紙センサ１５と、ジャムが検知された場合に、ジャム処理方法に関するガイダンス情報を表示するオペレーションパネル１４と、オペレータによるドアの開閉を検知する開閉検知センサ２０１〜２０４と、ガイダンス情報をジャム処理方法のステップ毎に順次表示するよう制御する制御部２０５とを備え、制御部２０５は、開閉検知センサ２０１〜２０４が開閉を検知したドアとオペレーションパネル１４に表示されたガイダンス情報に示されたドアとが異なった場合に、次に表示するステップのガイダンス情報を変更するように制御することを特徴とする情報表示装置。【選択図】図２
2008162061.tif 000002
【特許請求の範囲】
【請求項１】
異常状態を検知する異常検知手段と、
前記異常検知手段により異常状態が検知された場合に、前記異常状態の処理方法に関するガイダンス情報を表示する表示手段と、
オペレータが実行した操作を検知する操作検知手段と、
前記ガイダンス情報を前記異常状態の処理方法のステップ毎に順次前記表示手段に表示するよう制御する制御手段とを備えた情報表示装置であって、
前記制御手段は、前記操作検知手段が検知した操作と前記表示手段に表示されたガイダンス情報に示された操作とが異なった場合に、次に表示するステップのガイダンス情報を変更するように制御することを特徴とする情報表示装置。
【請求項２】
請求項１に記載の情報表示装置において、
前記制御手段は、前記操作検知手段が検知した操作と前記表示手段に表示されたガイダンス情報に示された操作とが異なった場合に、検知された操作に対応した次のステップのガイダンス情報を前記表示手段に表示するように制御することを特徴とする情報表示装置。
【請求項３】
請求項１に記載の情報表示装置において、
前記制御手段は、前記操作検知手段が検知した操作と前記表示手段に表示されたガイダンス情報に示された操作とが異なった場合に、異なる操作が実行されたことをオペレータに通知するガイダンス情報を前記表示手段に表示するように制御することを特徴とする情報表示装置。
【請求項４】
請求項１に記載の情報表示装置において、
前記制御手段は、前記操作検知手段が検知した操作と前記表示手段に表示されたガイダンス情報に示された操作とが異なった場合に、オペレータにより操作された対象と本来操作されるべきであった対象との相対的な位置関係を示したガイダンス情報を前記表示手段に表示するように制御することを特徴とする情報表示装置。
【請求項５】
異常状態を検知する異常検知ステップと、
前記異常検知ステップにおいて異常状態が検知された場合に、前記異常状態の処理方法に関するガイダンス情報を表示する表示ステップと、
オペレータが実行した操作を検知する操作検知ステップと、
前記操作検知ステップにおいて検知された操作と前記表示ステップにおいて表示されたガイダンス情報に示された操作とが異なった場合に、次に表示するステップのガイダンス情報を変更するように制御する制御ステップとを含むことを特徴とする情報表示装置の制御方法。
【請求項６】
記録媒体に画像を形成する画像形成装置において、
前記装置の異常状態を検知する異常検知手段と、
前記異常検知手段により前記装置の異常状態が検知された場合に、前記異常状態の処理方法に関するガイダンス情報を表示する表示手段と、
前記装置の内部にアクセスするための開閉可能な複数の外装カバーと、
前記外装カバーの開閉を検知する操作検知手段と、
前記ガイダンス情報を前記異常状態の処理方法のステップ毎に順次前記表示手段に表示するよう制御する制御手段とを備え、
前記制御手段は、前記操作検知手段が開閉を検知した外装カバーと前記表示手段に表示されたガイダンス情報に示された開閉すべき外装カバーとが異なった場合に、次に表示するステップのガイダンス情報を変更するように制御することを特徴とする画像形成装置。
【請求項７】
請求項６に記載の画像形成装置において、
前記制御手段は、前記操作検知手段が開閉を検知した外装カバーと前記表示手段に表示されたガイダンス情報に示された開閉すべき外装カバーとが異なった場合に、開閉を検知された外装カバーに対応した次のステップのガイダンス情報を前記表示手段に表示するように制御することを特徴とする画像形成装置。
【請求項８】
請求項６に記載の画像形成装置において、
前記制御手段は、前記操作検知手段が開閉を検知した外装カバーと前記表示手段に表示されたガイダンス情報に示された開閉すべき外装カバーとが異なった場合に、異なる外装カバーが開閉されたことをオペレータに通知するガイダンス情報を前記表示手段に表示するように制御することを特徴とする画像形成装置。
【請求項９】
請求項６に記載の画像形成装置において、
前記制御手段は、前記操作検知手段が開閉を検知した外装カバーと前記表示手段に表示されたガイダンス情報に示された開閉すべき外装カバーとが異なった場合に、オペレータにより開閉された外装カバーと本来開閉されるべきであった外装カバーとの相対的な位置関係を示したガイダンス情報を前記表示手段に表示するように制御することを特徴とする画像形成装置。
【発明の詳細な説明】
【技術分野】
【０００１】
本発明は、機器に関するガイダンス情報等を操作者に通知するための情報表示装置及びその制御方法に関するものである。特に、複写機、プリンタ、ファクシミリ装置等の画像形成装置に関するガイダンス情報等を操作者に通知するための情報表示装置及びその制御方法、該装置を備えた画像形成装置に関するものである。
【背景技術】
【０００２】
従来、このような情報表示装置として、機器に関する操作ガイダンスを表示する表示入力装置が提案されている（例えば、特許文献１参照）。この情報表示装置は、操作者が情報表示装置に触れる（タッチ操作する）ことにより適切な操作ガイダンスを表示するようにするものである。
【特許文献１】特開平１１−１９１８２２号公報
【発明の開示】
【発明が解決しようとする課題】
【０００３】
しかしながら、前記従来例の情報表示装置では、オペレータのタッチ操作により必要な情報が順次表示されるようになっていた。そのため、例えば機器に異常が発生した場合において、異常処理方法が複数のステップにまたがっている場合、オペレータは情報表示装置に表示されたガイダンス情報を全て記憶する必要があった。したがって、異常処理方法のステップ数が多い場合には、オペレータが操作を誤ったり、ステップを飛ばしたりすることがあった。
【０００４】
さらに、オペレータがガイダンス情報に示された操作と異なる操作を行った場合であっても、異なる操作が行われたことは情報表示装置に反映されなかった。そのため、オペレータは、前記異なる操作が行われた後に実行すべき次の操作が分からなくなってしまうという問題があった。
【０００５】
本発明は、係る状況下でなされたものであり、オペレータが的確な操作を行うことができるようにガイダンス情報を表示することが可能な情報表示装置及びその制御方法、画像形成装置を提供することを目的とする。
【課題を解決するための手段】
【０００６】
本発明は上述した課題を解決するためになされたものであり、以下の構成を備える。
【０００７】
（１）異常状態を検知する異常検知手段と、前記異常検知手段により異常状態が検知された場合に、前記異常状態の処理方法に関するガイダンス情報を表示する表示手段と、オペレータが実行した操作を検知する操作検知手段と、前記ガイダンス情報を前記異常状態の処理方法のステップ毎に順次前記表示手段に表示するよう制御する制御手段とを備えた情報表示装置であって、前記制御手段は、前記操作検知手段が検知した操作と前記表示手段に表示されたガイダンス情報に示された操作とが異なった場合に、次に表示するステップのガイダンス情報を変更するように制御することを特徴とする情報表示装置。
【０００８】
（２）異常状態を検知する異常検知ステップと、前記異常検知ステップにおいて異常状態が検知された場合に、前記異常状態の処理方法に関するガイダンス情報を表示する表示ステップと、オペレータが実行した操作を検知する操作検知ステップと、前記操作検知ステップにおいて検知された操作と前記表示ステップにおいて表示されたガイダンス情報に示された操作とが異なった場合に、次に表示するステップのガイダンス情報を変更するように制御する制御ステップとを含むことを特徴とする情報表示装置の制御方法。
【０００９】
（３）記録媒体に画像を形成する画像形成装置において、前記装置の異常状態を検知する異常検知手段と、前記異常検知手段により前記装置の異常状態が検知された場合に、前記異常状態の処理方法に関するガイダンス情報を表示する表示手段と、前記装置の内部にアクセスするための開閉可能な複数の外装カバーと、前記外装カバーの開閉を検知する操作検知手段と、前記ガイダンス情報を前記異常状態の処理方法のステップ毎に順次前記表示手段に表示するよう制御する制御手段とを備え、前記制御手段は、前記操作検知手段が開閉を検知した外装カバーと前記表示手段に表示されたガイダンス情報に示された開閉すべき外装カバーとが異なった場合に、次に表示するステップのガイダンス情報を変更するように制御することを特徴とする画像形成装置。
【発明の効果】
【００１０】
本発明によれば、オペレータが的確な操作を行うことができるようにガイダンス情報を表示することが可能な情報表示装置及びその制御方法、画像形成装置を提供することができる。
【発明を実施するための最良の形態】
【００１１】
本発明を実施するための最良の形態を、以下の実施例で説明する。
【００１２】
ただし、この実施例に記載されている構成部品の寸法、材質、形状、その相対配置等は、特に特定的な記載がない限りは、この発明の範囲をそれらのみに限定する趣旨のものではない。
【実施例１】
【００１３】
以下、本実施例の情報表示装置について、図面を参照しながら説明する。本実施例においては、一例として、画像形成装置としてのプリンタに備えられたものについて説明する。しかしながら本発明の情報表示装置は画像形成装置のみに備えられるものではなく、オペレータが操作を行う他の機器にも適用可能である。
【００１４】
図１は、本実施例の情報表示装置を備えたプリンタの概略断面図である。
【００１５】
図１において、１はプリンタ本体、２は記録媒体としてのシートを保持するカセット、３はシートを分離する分離ローラ、４は感光体ドラム、５は定着器である。８は画像の先端位置を決定し、またカセット２から後述するレジストレーションローラ９までの領域周辺（以下、給紙部という）での異常状態の一例としてのジャムを検知するための異常検知手段としてのレジストレーションセンサである。レジストレーションセンサ８はカセット２から給紙されたシートがレジストレーションセンサ８に規定時間以内に到着しない場合に、給紙遅延ジャムとしてジャムを検知する。
【００１６】
９はシートの先端を揃えるためのレジストレーションローラ、１０は搬送ローラ、１１は転写ローラ、１２及び１３は搬送ローラである、１４はガイダンス情報を表示するための表示手段としてのオペレーションパネルである。１５は定着器５周辺（以下、定着部という）でのジャムを検知するための異常検知手段としての定着排紙センサである。定着排紙センサ１５はシートが定着排紙センサ１５を規定時間以内に通過しなかった場合に、定着滞留ジャムとしてジャムを検知する。
【００１７】
２１はプリンタ本体１に接続された後処理装置であり、ソータ、ステープル等の処理機能を有する。２２及び２３はプリンタ本体１から搬送されたシートの送出先を切り替えるフラッパ、２４、２５、２６は、排出されたシートを保持する排出トレイ、２７、２８、２９は搬送ローラである。３０はステープルユニット、３１はシートの搬送方向と直角な方向のソート揃えをするためのジョガーである。
【００１８】
４１はプリンタ本体１内部にアクセスする外装カバー（以下、ドアという）のうちプリンタ本体１右側（図１における右側）に設けられた右ドアであり、給紙部でジャムが発生した場合に操作するドアである。４２はプリンタ本体１上側（図１における上側）に設けられた上ドアであり、定着部でジャムが発生した場合に操作するドアである。４３はプリンタ本体１正面側（図１における手前側）に設けられた前ドアであり、トナーを補給する場合に操作するドアである。前ドア４３は、これを開けても、給紙部あるいは定着部でジャムとなったシートを除去することはできない。４４は、後処理装置２１上側（図１における上側）に設けられた後処理装置上ドアであり、後処理装置２１でジャムが発生した場合に操作するドアである。
【００１９】
右ドア４１、上ドア４２、前ドア４３、後処理装置上ドア４４には、それぞれオペレータによるドアの開閉を検知する操作検知手段としての開閉検知センサ（図２における２０１から２０４）が設けられている。
【００２０】
上記構成における画像形成動作について説明する。
【００２１】
シートがカセット２から取り出され、搬送される。感光体ドラム４と転写ローラ１１により、搬送されてきたシート上に画像を形成され、定着器５により画像がシート上に定着される。画像が定着したシートは搬送ローラ１２、１３により、プリンタ本体１から排出される。
【００２２】
プリンタ本体１に接続された後処理装置２１は、シートをプリンタ本体１より受け取る。フラッパ２２、２３により、シートを排出するトレイ２４、２５、２６を選択する。ステープル処理を実行する場合には、シートはジョガー３１に搬入され、ジョガー３１によりシートの搬送方向と直角な方向の位置合わせが実行される。その後、ステープル３０によりステープル処理が実行され、ジョガー３１が開くことにより、ステープルされたシート束がトレイ２４上に排出される。
【００２３】
次に、本実施例の情報表示装置の主要構成を説明する。図２は、本実施例の情報表示装置の主要構成ブロック図である。
【００２４】
図２において、情報表示装置にはプリンタ本体１の右ドア４１、上ドア４２、前ドア４３の開閉をそれぞれ検知する、開閉検知センサ２０１、開閉検知センサ２０２、開閉検知センサ２０３が備えられる。また、情報表示装置には後処理装置２１の後処理装置上ドア４４の開閉を検知する、開閉検知センサ２０４が備えられる。各開閉検知センサ２０１〜２０４は、各ドアの開閉を検知すると、後述する制御部２０５に信号を送信する。
【００２５】
プリンタ本体１は制御手段としての制御部２０５を備える。制御部２０５は、レジストレーションセンサ８あるいは定着排紙センサ１５によってジャムが検知された場合に、それぞれのセンサから信号を受け取る。制御部２０５は、レジストレーションセンサ８あるいは定着排紙センサ１５から信号を受信すると、オペレーションパネル１４に対して、ジャム処理方法のガイダンス情報をステップ毎に順次表示するよう制御する。
【００２６】
制御部２０５は、オペレータにより行われた操作を開閉検知センサ２０１〜２０４からの信号により認識し、オペレーションパネル１４に表示するガイダンス情報を更新し、ジャム処理方法における次のステップのガイダンス情報を表示する。
【００２７】
続いて、本実施例の情報表示装置を備えたプリンタにおいてジャムが発生した場合における、ジャム処理方法のガイダンス情報の表示動作について説明する。
【００２８】
まず、給紙部でジャムが発生した場合のガイダンス情報の表示動作について説明する。
【００２９】
図３（３−１、３−２）は、給紙部でジャムが発生した場合のガイダンス情報の表示動作説明図である。
【００３０】
図３−１に示すように、例えばカセット２から給紙されたシートが分離ローラ３の周辺で詰まった場合、レジストレーションセンサ８が給紙遅延ジャムとしてジャムを検知する。このとき制御部２０５はオペレーションパネル１４に、“給紙遅延ジャムが発生しました。右ドアを開けてください。”とのガイダンス情報を表示させる。
【００３１】
そして図３−２に示すように、オペレーションパネル１４に表示されたガイダンス情報に従ってオペレータが右ドア４１を開けると、制御部２０５はガイダンス情報のシーケンスを進め、次のステップのガイダンス情報を表示させる。すなわち制御部２０５はオペレーションパネル１４に、“給紙部周辺のシートを取り除いてください。除去が終了したら右ドアを閉じてください。”とのガイダンス情報を表示させる。
【００３２】
オペレータがガイダンス情報に従ってシートの除去を実施し、右ドア４１を閉じると、ジャム処理が終了し、制御部２０５はガイダンス情報の表示動作を終了する。
【００３３】
続いて、定着部でジャムが発生した場合のガイダンス情報の表示動作について説明する。
【００３４】
図４（４−１、４−２、４−３）は、定着部でジャムが発生した場合のガイダンス情報の表示動作説明図である。
【００３５】
図４−１に示すように、例えば画像が形成されたシートが搬送ローラ１２の位置で詰まった場合、定着排紙センサ１５が定着滞留ジャムとしてジャムを検知する。ここで定着滞留ジャムが発生した場合には、詰まったシートの次に搬送されるシートがカセット２から給紙され、給紙部に停止することが多い。また、定着部周辺でジャムが発生した場合には、通常、定着部周辺のシートを取り除く操作が最優先される。そして、定着部周辺のジャム処理終了後に、給紙部のシートを取り除く操作が実行されることが望ましい。本実施例では、給紙部に次のシートが停止した場合について説明をする。
【００３６】
そこで制御部２０５はオペレーションパネル１４に、“定着滞留ジャムが発生しました。上ドアを開けてください。”とのガイダンス情報を表示させる。
【００３７】
そして図４−２に示すように、オペレーションパネル１４に表示されたガイダンス情報に従ってオペレータが上ドア４２を開けると、制御部２０５はガイダンス情報のシーケンスを進め、次のステップのガイダンス情報を表示させる。すなわち制御部２０５はオペレーションパネル１４に、“定着部周辺のシートを取り除いてください。除去が終了したら上ドアを閉じてください。”とのガイダンス情報を表示させる。
【００３８】
オペレータがガイダンス情報に従ってシートの除去を実施し、上ドア４２を閉じると、制御部２０５はガイダンス情報のシーケンスを進め、次のステップのガイダンス情報を表示させる。すなわち制御部２０５はオペレーションパネル１４に、“給紙部周辺のシートを取り除くために、右ドアを開けてください。”とのガイダンス情報を表示させる。
【００３９】
続いて図４−３に示すように、オペレータがガイダンスに従って右ドア４１を開けると、制御部２０５はガイダンス情報のシーケンスを進め、次のステップのガイダンス情報を表示させる。すなわち制御部２０５はオペレーションパネル１４に、“給紙部周辺のシートを取り除いてください。除去が終了したら右ドアを閉じてください。”とのガイダンス情報を表示させる。
【００４０】
オペレータがガイダンス情報に従ってシートの除去を実施し、右ドア４１を閉じると、ジャム処理が終了し、制御部２０５はガイダンス情報の表示動作を終了する。
【００４１】
次に、定着部でジャムが発生した場合であり、且つオペレータがガイダンス情報に示されていない操作を行った場合のガイダンス情報の表示動作について説明する。
【００４２】
図５（５−１、５−２、５−３）は、定着部でジャムが発生した場合であり、且つオペレータがガイダンス情報に示されていない操作を行った場合のガイダンス情報の表示動作説明図である。
【００４３】
前述の図４−１についての説明と同様に、図５−１に示す状態においてはシートが搬送ローラ１２の位置で詰まっているため、定着排紙センサ１５が定着滞留ジャムを検知する。また、給紙部には次のシートが停止している。そして制御部２０５はオペレーションパネル１４に、“定着滞留ジャムが発生しました。上ドアを開けてください。”とのガイダンスを表示させる。
【００４４】
しかしながら図５−２に示すように、オペレータがガイダンス情報に示されていない右ドア４１を開けてしまったとする。この場合制御部２０５は上ドア４２を開けるという正しい操作が行われた場合に表示する次のステップのガイダンス情報を変更して、オペレータの行った操作を優先し、該操作に対応した次のステップのガイダンス情報を表示させる。すなわち制御部２０５は右ドア４１を開けた場合に行うステップのガイダンス情報として、“先に右ドアが開かれました。給紙部周辺のシートを取り除いてください。除去が終了したら右ドアを閉じてください。”とのガイダンス情報を表示させる。
【００４５】
オペレータがガイダンス情報に従ってシートの除去を実施し、右ドア４１を閉じると、制御部２０５は次のステップのガイダンス情報として、本来の定着滞留ジャムのガイダンス情報を表示させる。すなわち制御部２０５はオペレーションパネル１４に、“定着滞留ジャムが発生しました。上ドアを開けてください。”とのガイダンス情報を表示させる。
【００４６】
続いて図５−３に示すように、オペレーションパネル１４に表示されたガイダンス情報に従ってオペレータが上ドア４２を開けると、制御部２０５はガイダンス情報のシーケンスを進め、次のステップのガイダンス情報を表示させる。すなわち制御部２０５はオペレーションパネル１４に、“定着部周辺のシートを取り除いてください。除去が終了したら上ドアを閉じてください。”とのガイダンス情報を表示させる。
【００４７】
オペレータがガイダンス情報に従ってシートの除去を実施し、上ドア４２を閉じると、ジャム処理が終了し、制御部２０５はガイダンス情報の表示動作を終了する。
【実施例２】
【００４８】
本実施例の情報表示装置について説明する。本実施例においては、オペレータがガイダンス情報に示されていない操作を行った場合のガイダンス情報の表示動作が実施例１と異なる。それ以外の実施例１と同様の構成については同一の図面を用いるとともに同一の符号を付し、説明は省略する。
【００４９】
本実施例の情報表示装置を備えたプリンタにおいてジャムが発生した場合における、ジャム処理方法のガイダンス情報の表示動作について説明する。
【００５０】
図６（６−１、６−２、６−３）は、給紙部でジャムが発生した場合であり、且つオペレータがガイダンス情報に示されていない操作を行った場合のガイダンス情報の表示動作説明図である。
【００５１】
図６−１に示すように、カセット２から給紙されたシートが分離ローラ３の周辺で詰まった場合、レジストレーションセンサ８が給紙遅延ジャムとしてジャムを検知する。このとき制御部２０５はオペレーションパネル１４に、“給紙遅延ジャムが発生しました。右ドアを開けてください。”とのガイダンス情報を表示させる。
【００５２】
しかしながら、図６−２に示すように、オペレータがガイダンス情報に示されていない後処理装置上ドア４４を開けてしまったとする。この場合制御部２０５は右ドア４１を開けるという正しい操作が行われた場合に表示する次のステップのガイダンス情報を変更して、オペレータの行った操作が誤っていることを通知するガイダンス情報を表示させる。すなわち制御部２０５はオペレーションパネル１４に、“無関係なオプションの上ドアが開かれました。オプションの上ドアを閉じてください。”とのガイダンス情報を表示させる。
【００５３】
オペレータがガイダンス情報に従って後処理装置上ドア４４を閉じると、制御部２０５は次のステップのガイダンス情報として、本来の給紙遅延ジャムのガイダンス情報を表示させる。すなわち制御部２０５はオペレーションパネル１４に、“給紙遅延ジャムが発生しました。右ドアを開けてください。”とのガイダンス情報を表示させる。
【００５４】
続いて図６−３に示すように、オペレーションパネル１４に表示されたガイダンス情報に従ってオペレータが右ドア４１を開けると、制御部２０５はガイダンス情報のシーケンスを進め、次のステップのガイダンス情報を表示させる。すなわち制御部２０５はオペレーションパネル１４に、“給紙部周辺のシートを取り除いてください。除去が終了したら右ドアを閉じてください。”とのガイダンス情報を表示させる。
【００５５】
オペレータがガイダンス情報に従ってシートの除去を実施し、右ドア４１を閉じると、ジャム処理が終了し、制御部２０５はガイダンス情報の表示動作を終了する。
【実施例３】
【００５６】
本実施例の情報表示装置について説明する。本実施例においては、オペレータがガイダンス情報に示されていない操作を行った場合のガイダンス情報の表示動作が実施例１及び２と異なる。それ以外の実施例１及び２と同様の構成については同一の図面を用いるとともに同一の符号を付し、説明は省略する。
【００５７】
本実施例の情報表示装置を備えたプリンタにおいてジャムが発生した場合における、ジャム処理方法のガイダンス情報の表示動作について説明する。
【００５８】
図７（７−１、７−２、７−３）は、給紙部でジャムが発生した場合であり、且つオペレータがガイダンス情報に示されていない操作を行った場合のガイダンス情報の表示動作説明図である。
【００５９】
図７−１に示すように、カセット２から給紙されたシートが分離ローラ３の周辺で詰まった場合、レジストレーションセンサ８が給紙遅延ジャムとしてジャムを検知する。このとき制御部２０５はオペレーションパネル１４に、“給紙遅延ジャムが発生しました。右ドアを開けてください。”とのガイダンス情報を表示させる。
【００６０】
しかしながら、図７−２に示すように、オペレータがガイダンス情報に示されていない前ドア４３を開けてしまったとする。この場合制御部２０５は正しい操作が行われた場合に表示する次のステップのガイダンス情報を変更して、オペレータにより操作された対象と本来操作されるべきであった対象との相対的な位置関係を示したガイダンス情報を表示させる。すなわち制御部２０５はオペレーションパネル１４に、“あなたの開けた前ドアの右にある右ドアを開けてください。”とのガイダンス情報を表示させる。
【００６１】
オペレータがガイダンス情報に従って右ドア４１を開けると、制御部２０５は次のステップのガイダンス情報として、本来の給紙遅延ジャムのガイダンス情報を表示させる。すなわち制御部２０５はオペレーションパネル１４に、“給紙部周辺のシートを取り除いてください。除去が終了したら、右ドアを閉じてください。”とのガイダンス情報を表示させる。
【００６２】
続いて図７−３に示すように、オペレーションパネル１４に表示されたガイダンス情報に従ってオペレータが右ドア４１を閉じると、制御部２０５はガイダンス情報のシーケンスを進め、次のステップのガイダンス情報を表示させる。すなわち制御部２０５はオペレーションパネル１４に、“前ドアを閉じてください。”と表示させる。
【００６３】
オペレータがガイダンス情報に従って前ドア４３を閉じると、ジャム処理が終了し、制御部２０５はガイダンス情報の表示動作を終了する。
【００６４】
以上説明したように、実施例１から３の情報表示装置によれば、オペレータが的確な操作を行うことができるようにガイダンス情報を表示することができる。
【００６５】
特に実施例１によれば、オペレータがオペレーションパネルに表示されたガイダンス情報に示されていない操作を実行しても、その操作を優先してガイダンス情報のシーケンスを変更するため、より柔軟なガイダンス情報の表示が可能となる。
【００６６】
また実施例２によれば、オペレータがオペレーションパネルに表示されたガイダンス情報に示されていない操作を実行したことを積極的に通知するため、オペレータが操作を誤ったことと次に行うべきことを的確に通知することが可能となる。
【００６７】
また実施例３によれば、オペレータにより操作された対象と本来操作されるべきであった対象との相対的な位置関係をオペレータに明示するため、オペレータが次に操作すべき対象を的確に通知することが可能となる。
【００６８】
さらに、ガイダンス情報が的確に表示され、オペレータが異常処理を的確に実行することが可能となるため、オペレータの誤操作による機器の破壊を防止することが可能となる。また異常処理が複数回にまたがってしまうような不具合が発生しなくなり、利便性が向上する。
【図面の簡単な説明】
【００６９】
【図１】実施例１の情報表示装置を備えたプリンタの概略断面図
【図２】情報表示装置の主要構成ブロック図
【図３】３−１、３−２はガイダンス情報の表示動作説明図
【図４】４−１、４−２、４−３はガイダンス情報の表示動作説明図
【図５】５−１、５−２、５−３はガイダンス情報の表示動作説明図
【図６】６−１、６−２、６−３は実施例２のガイダンス情報の表示動作説明図
【図７】７−１、７−２、７−３は実施例３のガイダンス情報の表示動作説明図
【符号の説明】
【００７０】
８  レジストレーションセンサ（異常検知手段に対応）
１４  オペレーションパネル（表示手段に対応）
１５  定着排紙センサ（異常検知手段に対応）
２０１、２０２、２０３、２０４  開閉検知センサ（操作検知手段に対応）
２０５  制御部（制御手段に対応）
【図１】
2008162061.tif 000003
【図２】
2008162061.tif 000004
【図３】
2008162061.tif 000005
【図４】
2008162061.tif 000006
【図５】
2008162061.tif 000007
【図６】
2008162061.tif 000008
【図７】
2008162061.tif 000009